(57)【特許請求の範囲】
【請求項１】
画像データを記憶する記憶装置と、画像データに係る一又は複数の処理を行う画像処理装置とを備える画像処理システムにおいて、
前記記憶装置は、
画像データを前記画像処理装置と送受信する記憶側送受信部を有し、
前記画像処理装置は、
処理の指示を受け付ける受付領域が前記処理毎に設けられている受付部と、
前記記憶装置と前記受付領域との相対位置を検知し、検知した相対位置の変化に基づいて、一の受付領域を特定する特定部と、
画像データを前記記憶装置と送受信する処理側送受信部と、
前記特定部により特定された受付領域に対応する処理を前記処理側送受信部が送受信する画像データに施す処理手段と
を有することを特徴とする画像処理システム。
【請求項２】
前記記憶側送受信部及び前記処理側送受信部は、互いに、画像データを近接通信により送受信するように構成してあり、
前記特定部は、近接通信の無線強度又は搬送波の位相により、前記相対位置を検知するように構成してあること
を特徴とする請求項１記載の画像処理システム。
【請求項３】
他の装置と送受信する画像データに係る一又は複数の処理を行う画像処理装置において、
前記処理の指示を受け付ける受付領域が前記処理毎に設けられている受付部と、
前記他の装置と前記受付領域との相対位置を検知し、検知した相対位置の変化に基づいて、一の受付領域を特定する特定部と、
前記特定部により特定された受付領域に対応する処理を前記他の装置と送受信する画像データに施す処理手段と
を有することを特徴とする画像処理装置。
【請求項４】
前記特定部は、近接通信の無線強度又は搬送波の位相により、前記相対位置を検知するように構成してあること
を特徴とする請求項３記載の画像処理装置。
【請求項５】
前記処理手段は、前記他の装置と前記受付領域との相対位置の変化のパターン毎に異なる処理を前記画像データに施すように構成してあることを特徴とする請求項３又は４に記載の画像処理装置。
【請求項６】
一又は複数の画像データを記憶する記憶部を有する画像処理装置において、
記憶部に記憶されている画像データ毎に対応する受付領域が設けられている受付部と、
該受付領域と他の装置との相対位置を検知し、検知した相対位置の変化に基づいて、一の画像データを特定する特定部と、
該特定部により特定された画像データの識別情報を、近接通信により前記他の装置に送信する近接通信部と
を有することを特徴とする画像処理装置。
【請求項７】
画像データに係る一又は複数の処理を行う画像処理装置において、
近接通信により、画像データの識別情報を受信する近接通信部と、
前記処理の指示を受け付ける受付領域が前記処理毎に対応して設けられている受付部と、
他の装置と該受付領域との相対位置を検出し、検出した相対位置の変化に基づいて、一の受付領域を特定する特定部と、
該特定部により特定された受付領域に対応する処理を、前記近接通信部が受信した識別情報に対応する画像データに施す処理手段と
を有することを特徴とする画像処理装置。
【請求項８】
前記近接通信部により受信された識別情報に対応する画像データを、ネットワークを介して接続された他の装置より受信するネットワーク通信部を有することを特徴とする請求項７記載の画像処理装置。
【請求項９】
一又は複数の処理の指示を受け付ける受付領域が前記処理毎に設けられている受付部と、
近接通信により通信を行う近接通信部と、
近接通信を行う近接通信装置と該受付領域との相対位置を検出し、検出した相対位置の変化に基づいて、一の受付領域を特定する特定部と、
該特定部が特定した受付領域に対応する処理手段による処理を実行する指示を生成する指示生成部と
を有することを特徴とする指示受付装置。
【発明の詳細な説明】
【技術分野】
【０００１】
本発明は、近接通信を行う画像処理システム、画像処理装置、及び、指示受付装置に関する。
【背景技術】
【０００２】
従来、ＵＳＢメモリ等のメモリデバイスが接続可能な複合機では、スキャナにより画像を読み取って画像データを生成し、生成された画像データをメモリデバイスに記憶させる、スキャンｔｏメモリ機能がある。また、メモリデバイスに記憶されている画像データを、印刷出力するダイレクトプリント機能がある（例えば、特許文献１参照）。
【０００３】
スキャンｔｏメモリ機能を実行させる場合は、操作パネル等の入力部から、操作者が、スキャナに対して画像を読み取って画像データを生成する指示と、生成された画像データをメモリデバイスに記憶させる指示とを入力する。また、ダイレクトプリント機能を実行させる場合は、同様に、操作者が、操作パネルから、メモリデバイスに記憶されている画像データを選択する指示と、選択された画像データを印刷する指示とを入力する。
【０００４】
操作パネルは、指で表示画面に触れる等の操作を行うことにより指示を入力するタッチパネルが主流である。そこで、タッチパネルによるスキャンｔｏメモリ機能の指示は、例えば、画像データを表すアイコン、又は、スキャナを表すアイコンを選択し、選択したアイコンをドラッグしてメモリデバイスにドロップする、ドラッグ・アンド・ドロップ操作により行われる。また、ドラッグ・アンド・ドロップ操作を行わない場合は、スキャナを表すアイコンを選択し、さらに、生成される画像データの記憶先であるメモリデバイスを表すアイコンを選択することにより行われる。
【先行技術文献】
【特許文献】
【０００５】
【特許文献１】特開２００８−１８７４９５号公報
【発明の概要】
【発明が解決しようとする課題】
【０００６】
しかしながら、ドラッグ・アンド・ドロップ操作による指示の入力では、途中で指がタッチパネルより離れることにより、誤操作が生じる。また、アイコンの選択による指示の入力は、複数のアイコンを選択しなくてはならず、煩雑である。
【０００７】
本発明は斯かる事情に鑑みてなされたものであり、他の装置との相対位置を検出することにより、操作者が処理の指示を容易に行うことができる画像処理システム、画像処理装置、及び、指示受付装置を提供することを目的とする。
【課題を解決するための手段】
【０００８】
本発明に係る画像処理システムは、画像データを記憶する記憶装置と、画像データに係る一又は複数の処理を行う画像処理装置とを備える画像処理システムにおいて、前記記憶装置は、画像データを前記画像処理装置と送受信する記憶側送受信部を有し、前記画像処理装置は、処理の指示を受け付ける受付領域が前記処理毎に設けられている受付部と、前記記憶装置と前記受付領域との相対位置を検知し、検知した相対位置の変化に基づいて、一の受付領域を特定する特定部と、画像データを前記記憶装置と送受信する処理側送受信部と、前記特定部により特定された受付領域に対応する処理を前記処理側送受信部が送受信する画像データに施す処理手段とを有することを特徴とする。
【０００９】
本発明にあっては、画像データを記憶する記憶装置と、画像データに係る一又は複数の処理を行う画像処理装置とを備える。記憶装置は、記憶側送受信部が、画像データを前記画像処理装置と送受信する。画像処理装置は、受付部が、処理の指示を受け付ける受付領域が前記処理毎に設けられている。特定部が、前記記憶装置と前記受付領域との相対位置を検知し、検知した相対位置の変化に基づいて、一の受付領域を特定する。処理側送受信部が、画像データを前記記憶装置と送受信する。処理手段が、前記特定部により特定された受付領域に対応する処理を前記処理側送受信部が送受信する画像データに施す。
これにより、記憶装置に送信する又は記憶装置から受信する画像データの処理の指示を容易に行うことができる。
【００１０】
また、本発明に係る画像処理システムは、前記記憶側送受信部及び前記処理側送受信部は、互いに、画像データを近接通信により送受信するように構成してあり、前記特定部は、近接通信の無線強度又は搬送波の位相により、前記相対位置を検知するように構成してあることを特徴とする。
【００１１】
本発明にあっては、記憶側送受信部及び処理側送受信部は、互いに、画像データを近接通信により送受信する。前記特定部は、近接通信の無線強度又は搬送波の位相により、前記相対位置を検知する。
【００１２】
本発明に係る画像処理装置は、他の装置と送受信する画像データに係る一又は複数の処理を行う画像処理装置において、前記処理の指示を受け付ける受付領域が前記処理毎に設けられている受付部と、前記他の装置と前記受付領域との相対位置を検知し、検知した相対位置の変化に基づいて、一の受付領域を特定する特定部と、前記特定部により特定された受付領域に対応する処理を前記他の装置と送受信する画像データに施す処理手段とを有することを特徴とする。
【００１３】
本発明にあっては、受付部が、処理の指示を受け付ける受付領域が前記処理毎に設けられている。特定部が、他の装置と前記受付領域との相対位置を検知し、検知した相対位置の変化に基づいて、一の受付領域を特定する。処理手段が、前記特定部により特定された受付領域に対応する処理を前記他の装置と送受信する画像データに施す。
これにより、他の装置に係る画像データの処理の指示を容易に行うことができる。
【００１４】
また、本発明に係る画像処理装置は、前記特定部は、近接通信の無線強度又は搬送波の位相により、前記相対位置を検知するように構成してあることを特徴とする。
【００１５】
本発明にあっては、特定部が、近接通信の無線強度又は搬送波の位相により、前記相対位置を検知する。
【００１６】
また、本発明に係る画像処理装置は、前記処理手段は、前記他の装置と前記受付領域との相対位置の変化のパターン毎に異なる処理を前記画像データに施すように構成してあることを特徴とする。
【００１７】
本発明にあっては、処理手段が、前記他の装置と前記受付領域との相対位置の変化のパターン毎に異なる処理を前記画像データに施す。
【００１８】
また、本発明に係る画像処理装置は、一又は複数の画像データを記憶する記憶部を有する画像処理装置において、記憶部に記憶されている画像データ毎に対応する受付領域が設けられている受付部と、該受付領域と他の装置との相対位置を検知し、検知した相対位置の変化に基づいて、一の画像データを特定する特定部と、該特定部により特定された画像データの識別情報を、近接通信により前記他の装置に送信する近接通信部とを有することを特徴とする。
【００１９】
本発明にあっては、受付部が、記憶部に記憶されている画像データ毎に対応する受付領域が設けられている。特定部が、該受付領域と他の装置との相対位置を検知し、検知した相対位置の変化に基づいて、一の画像データを特定する。近接通信部が、該特定部により特定された画像データの識別情報を、近接通信により前記他の装置に送信する。
【００２０】
また、本発明に係る画像処理装置は、画像データに係る一又は複数の処理を行う画像処理装置において、近接通信により、画像データの識別情報を受信する近接通信部と、前記処理の指示を受け付ける受付領域が前記処理毎に対応して設けられている受付部と、他の装置と該受付領域との相対位置を検出し、検出した相対位置の変化に基づいて、一の受付領域を特定する特定部と、該特定部により特定された受付領域に対応する処理を、前記近接通信部が受信した識別情報に対応する画像データに施す処理手段とを有することを特徴とする。
【００２１】
本発明にあっては、近接通信部が、近接通信により、画像データの識別情報を受信する。受付部は、前記処理の指示を受け付ける受付領域が前記処理毎に対応して設けられている。特定部が、前記他の装置と該受付領域との相対位置を検出し、検出した相対位置の変化に基づいて、一の受付領域を特定する。処理手段が、該特定部により特定された受付領域に対応する処理を、前記近接通信部が受信した識別情報に対応する画像データに施す。
【００２２】
また、本発明に係る画像処理装置は、前記近接通信部により受信された識別情報に対応する画像データを、ネットワークを介して接続された他の装置より受信するネットワーク通信部を有することを特徴とする。
【００２３】
本発明にあっては、ネットワーク通信部が、前記近接通信部により受信された識別情報に対応する画像データを、ネットワークを介して接続された他の装置より受信する。
【００２４】
また、本発明に係る指示受付装置は、一又は複数の処理の指示を受け付ける受付領域が前記処理毎に設けられている受付部と、近接通信により通信を行う近接通信部と、近接通信を行う近接通信装置と該受付領域との相対位置を検出し、検出した相対位置の変化に基づいて、一の受付領域を特定する特定部と、該特定部が特定した受付領域に対応する処理手段による処理を実行する指示を生成する指示生成部とを有することを特徴とする。
【００２５】
本発明にあっては、受付部が、一又は複数の処理の指示を受け付ける受付領域が前記処理毎に設けられている。近接通信部が、近接通信により通信を行う。特定部が、近接通信を行う近接通信装置と該受付領域との相対位置を検出し、検出した相対位置の変化に基づいて、一の受付領域を特定する。指示生成部が、該特定部が特定した受付領域に対応する処理手段による処理を実行する指示を生成する。
【発明の効果】
【００２６】
本発明によれば、他の装置との相対位置を検出することにより、操作者が処理の指示を容易に行うことができる画像処理システム、画像処理装置、及び、指示受付装置を提供することができる。
【図面の簡単な説明】
【００２７】
【図１】画像形成装置とメモリデバイスとの機能構成の例を示すブロック図である。
【図２】表示入力部に表示される画面の例を示す図である。
【図３】表示入力部から指示が入力される例（その１）を説明する模式図である。
【図４】表示入力部から指示が入力される例（その２）を説明する模式図である。
【図５】表示入力部から指示が入力される例（その３）を説明する模式図である。
【図６】表示入力部から指示が入力される例（その４）を説明する模式図である。
【図７】表示入力部から入力される指示に基づく処理を実行する手順を示すフローチャートである。
【図８】制御部が実行する処理の手順（その１）を説明するフローチャートである。
【図９】制御部が実行する処理の手順（その２）を説明するフローチャートである。
【図１０】制御部が実行する処理の手順（その３）を説明するフローチャートである。
【図１１】複数のＭＦＰの間で、メモリデバイスを介して画像データの受け渡しを行う例を説明する図である。
【図１２】画像データのＩＤに係る処理（その１）の手順を示すフローチャートである。
【図１３】画像データのＩＤに係る処理（その２）の手順を示すフローチャートである。
【図１４】本実施形態の画像形成装置に係るユースケースの例を示すフローチャートである。
【図１５】画像形成装置のハードウェア構成の例を説明する図である。
【発明を実施するための形態】
【００２８】
以下、本発明の実施の形態を図面に基づいて詳述する。図１は、本実施の形態に係る画像形成装置とメモリデバイスとの機能構成の例を示すブロック図である。図１では、画像形成装置１に、メモリデバイス４０が近接することに基づいて、画像データを含む通信が行われる。
【００２９】
メモリデバイス４０は、近接通信により入出力されるデータを記憶する。メモリデバイス４０は、例えば、フラッシュメモリを有する。メモリデバイス４０は、通信部４２、記憶部４６、振動モータ４４、及び、給電部４５を有する。
【００３０】
通信部４２は、近接通信を行う。通信部４２は、メモリデバイス４０に対して近距離に位置する他の近接通信端末との通信を行う。通信部４２が行う近接通信は、例えば、Ｂｌｕｅｔｏｏｔｈ（登録商標）、非接触ＩＣ、又は、ＴｒａｎｓｆｅｒＪｅｔ（登録商標）を用いる。
【００３１】
記憶部４６は、通信部４２から入力されるデータを記憶する。記憶部４６は、例えば、フラッシュメモリとして構成される。
【００３２】
振動モータ４４は、通信部４２による通信の成功を含む、メモリデバイス４０の所定の状態毎に、振動を発生する。これにより、メモリデバイス４０が表示手段を有さない構成でも、メモリデバイス４０にデータが記憶されたことを、操作者に通知することができる。
【００３３】
給電部４５は、メモリデバイス４０が有する各部に電力を供給する。給電部４５は、例えば、バッテリーとして構成される。
【００３４】
画像形成装置１は、表示入力部１０、指示生成部２１、デバイス部６０、記憶部６６、表示入力制御部８０、及び、制御部９０を有する。
【００３５】
デバイス部６０は、通信部６２、スキャナ部６３、プリンタ部６５、及び、ネットワークインタフェース６７を有する。通信部６２は、近接通信を行う。通信部６２は、メモリデバイス４０が画像形成装置１に近接する場合に、メモリデバイス４０との近接通信を行う。通信部６２が通信する信号は、画像データを含むデータである。通信部６２が通信する信号は、さらに、画像形成装置１に対する制御コマンド、及び、メモリデバイス４０に対する制御コマンドを含んでもよい。
【００３６】
スキャナ部６３は、原稿上の画像を光学的に読み取り、画像データを生成する。プリンタ部６５は、画像データを媒体上に形成して出力する。
【００３７】
記憶部６６は、画像データを含む大容量のデータを記憶する。記憶部６６は、例えば、ハードディスク装置として構成される。ネットワークインタフェース６７は、図示しないネットワークを介して接続される他の装置との通信を行う。
【００３８】
表示入力部１０は、画像形成装置１に対する指示が入力される。表示入力部１０は、例えば、タッチパネルと液晶ディスプレイを有し、液晶ディスプレイに指示を入力するためのアイコンが表示される。表示入力部１０は、さらに、画像形成装置１に対して既に設定されている指示又は条件が表示されてもよく、画像形成装置１が実行する処理の状態の情報が表示されてもよい。
【００３９】
図２は、表示入力部１０に表示される画面の例を示す図である。図２の画面Ｐ１は、スキャナアイコン１１１、記憶アイコン１２１、プリンタアイコン１３１、及び、メールアイコン１３２を有する。それぞれのアイコンに、画像形成装置１が有するデバイスにより実現される機能が対応づけられている。
【００４０】
スキャナアイコン１１１は、スキャナ部６３により実現されるスキャナ機能が対応づけられている。記憶アイコン１２１は、記憶部６６によるデータの記憶機能が対応づけられている。
【００４１】
プリンタアイコン１３１は、プリンタ部６５により実現される印刷機能が対応づけられ、メールアイコン１３２は、ネットワークインタフェース６７により通信される電子メール機能が対応づけられている。
【００４２】
図１に戻り、表示入力制御部８０は、表示入力部１０の制御を行う。表示入力制御部８０は、表示制御部８１、及び、特定部８２を有する。表示制御部８１は、表示入力部１０に表示されるアイコンを含む画面の生成、及び、表示の制御を行う。
【００４３】
特定部８２は、表示入力部に表示される画面に含まれる領域のうち、メモリデバイス４０による操作者の操作に基づいて、領域又はアイコンを特定する。より詳細には、特定部８２は、メモリデバイス４０と表示入力部１０との相対位置の変化に基づいて、領域又はアイコンを特定する。
【００４４】
相対位置の変化は、例えば、画面Ｐ１が有する各領域又はアイコンを、メモリデバイス４０によりフリック又はシングルクリックすることにより検知される。相対位置の変化は、また、通信部６２がメモリデバイス４０と近接通信を行うことにより、メモリデバイス４０と画面Ｐ１が有する各領域又はアイコンとの距離や方位を検出して取得してもよい。より詳細には、近接通信の無線強度、又は、搬送波の位相により相対位置が検知されるとよい。
【００４５】
なお、タッチパネルに対するタッチを検出した場合に、近接通信によりメモリデバイス４０との相対位置の変化を検出してもよい。
【００４６】
指示生成部２１は、制御部９０が制御する処理の指示を生成する。指示生成部２１は、特定部８２により選択された指示受付領域又はアイコンに対応する処理の指示を生成する。指示生成部２１が生成する指示は、特定部８２により特定されたアイコンに対応づけられる画像データ若しくはデータ、又は、メモリデバイス４０と通信される画像データ若しくはデータを処理の対象とする。
【００４７】
なお、指示生成部２１は、メモリデバイス４０と表示入力部１０との相対位置の変化の異なるパターン毎に、異なる指示を生成するとよい。例えば、記憶アイコン１２１に対する相対位置の変化が、メモリデバイス４０によりフリックする動作に基づく場合と、メモリデバイス４０によりドラッグする動作に基づく場合とで、それぞれ、異なるとよい。より詳細には、メモリデバイス４０に画像データを転送した後に、フリックに基づく場合は、記憶部６６に格納される画像データの格納を継続し、ドラッグに基づく場合は、記憶部６６に格納される画像データを削除するとよい。
【００４８】
制御部９０は、送信制御部９１、受信制御部９２、読取制御部９３、メモリ制御部９４、印刷制御部９５、記憶制御部９６、及び、通信制御部９７を有する。
【００４９】
送信制御部９１、及び、受信制御部９２は、それぞれ、通信部６２を制御して、近接通信を行う。送信制御部９１は、画像データ及び制御信号を送信させる。受信制御部９２は、画像データ及び制御信号を受信する。
【００５０】
読取制御部９３は、スキャナ部６３を制御して、原稿上の画像を読み取らせ、画像データを生成させる。メモリ制御部９４は、メモリデバイス４０に対して送信する制御コマンドを生成する。
【００５１】
印刷制御部９５は、プリンタ部６５を制御して、画像データを媒体上に形成させる。記憶制御部９６は、記憶部６６へのデータの格納、及び、記憶部６６からのデータの読み出しを制御する。通信制御部９７は、ネットワークインタフェース６７による通信を制御する。
【００５２】
図３から図６は、操作者が、メモリデバイス４０と表示入力部１０との相対位置を変化させることにより、表示入力部１０から指示が入力される例を説明する模式図である。図３の画面Ｐ２は、記憶アイコン１２１にデータファイルのデータアイコン５が重ねられて表示されている。データアイコン５により、記憶部６６に記憶されている一つの画像データを識別することができる。なお、記憶部６６に複数の画像データが記憶されている場合には、画像データ毎に対応するデータアイコンが表示されるとよい。
【００５３】
図３には、さらに、メモリデバイス４０が示されている。メモリデバイス４０は、例えば、掌大である。
【００５４】
図４は、データアイコン５により識別される画像データをコピーしてメモリデバイス４０に記憶することを示す図である。図４では、操作者により、メモリデバイス４０が、矢印Ａ１に沿って移動する。メモリデバイス４０は、この移動により画面Ｐ２が有する記憶アイコン１２１付近に近接する。
【００５５】
より詳細には、メモリデバイス４０が、記憶アイコン１２１に重ねられて表示されているデータアイコン５に近接する。これにより、特定部８２が、データアイコン５を特定し、データアイコン５が特定された旨の信号が指示生成部２１に与えられる。指示生成部２１は、データアイコン５が特定された旨の信号に基づいて、記憶部６６に格納されているデータアイコン５に対応する画像データ５０を近接通信により送信する指示を生成する。
【００５６】
指示生成部２１が生成した指示により、記憶制御部９６が、画像データ５０を記憶部６６から取り出し、送信制御部９１が、通信部６２を制御して画像データ５０を近接通信により送信する。
【００５７】
なお、近接通信は、近接通信を行うことの出来る圏内に、通信先の近接通信端末が存在する場合に、行うことができる。指示生成部２１が、近接通信を含む指示を生成したにも関わらず、近接通信を行うことの出来る圏内に、他の近接通信端末が存在しない場合は、近接通信端末が無い旨のメッセージ、又は、近接通信端末を近づける要求を含むメッセージが表示されるとよい。
【００５８】
メモリデバイス４０は、通信部４２が、画像データ５０を受信し、記憶部４６が、その画像データ５０を記憶する。
【００５９】
図５は、メモリデバイス４０が有する表示部に、データアイコン５が表示されている例を示す図である。データアイコン５が表示されていることにより、対応する画像データ５０が、記憶部４６に格納されていることを、操作者に通知することができる。
【００６０】
図６は、操作者が、メモリデバイス４０の位置を移動させることに基づいて、画像データ５０を印刷する指示が生成される例を示す図である。図６では、メモリデバイス４０の記憶部４６に、画像データ５０が記憶されている。メモリデバイス４０が、矢印Ａ２に沿って移動し、画面Ｐ４が有するプリンタアイコン１３１に近接する。これにより、特定部８２が、プリンタアイコン１３１が特定された旨の信号を指示生成部２１に与える。
【００６１】
指示生成部２１は、プリンタアイコン１３１が特定された旨の信号に基づいて、通信部６２により画像データ５０を受信し、プリンタ部６５から印刷出力する指示を生成する。
【００６２】
指示生成部２１が生成した指示により、受信制御部９２が、メモリデバイス４０に対して画像データ５０を要求する。これによりメモリデバイス４０の通信部４２が画像データを画像形成装置１に対して送信する。受信制御部９２は、メモリデバイス４０から送信された画像データ５０を受信し、印刷制御部９５が、プリンタ部６５を制御して画像データ５０を印刷出力させる。
【００６３】
図７は、表示入力部１０から入力される指示に基づく処理を実行する手順を示すフローチャートである。図７で行われる指示の入力は、図３から図６に示した例である。図７の処理は、表示入力制御部８０、指示生成部２１、及び、制御部９０により実行される。図７の処理は、表示入力部１０に、画面Ｐ１が表示されている状態から開始される。
【００６４】
先ず、特定部８２が、画面Ｐ１が有する何れかの指示受付領域にタッチが行われたか否かを判定する（ステップＳ１０１）。タッチが行われている場合（ステップＳ１０１：ＹＥＳ）には、特定部８２が、指示受付領域に対するメモリデバイスの相対的な位置変化に基づいて、メモリデバイスの操作により指定されたアイコンを特定し、指示生成部２１が、指示を生成する（ステップＳ１０２）。タッチが行われていない場合（ステップＳ１０１：ＮＯ）は、ステップＳ１０１を繰り返す。
【００６５】
制御部９０は、指示生成部２１が生成した指示に基づき、処理を実行する（ステップＳ１０３）。
【００６６】
図８から図１０は、制御部９０が実行する処理の手順を説明するフローチャートである。図８から図１０の処理は、図７のステップＳ１０３において実行される。図８は、スキャナ部６３により画像データを生成する処理の手順を説明するフローチャートである。先ず、読取制御部９３が、スキャナ部６３を制御して、画像データを生成する（ステップＳ１１）。送信制御部９１が、読取制御部９３により生成された画像データを、近接通信によりメモリデバイス４０に送信する（ステップＳ１２）。
【００６７】
図９は、プリンタ部６５により画像データを印刷出力する処理の手順を説明するフローチャートである。先ず、受信制御部９２が、通信部６２を制御して、近接通信により、メモリデバイス４０から、画像データを受信する（ステップＳ２１）。印刷制御部９５が、プリンタ部６５を制御して、画像データを印刷出力する（ステップＳ２２）。
【００６８】
なお、メモリデバイス４０に複数の画像データが格納されている場合には、先ず、画像データの識別情報を受信制御部９２が、近接通信により受信し、表示制御部８１が、画像データ毎に対応するアイコン又はファイル名を表示入力部１０に表示する。操作者が、表示されたアイコン等から一のアイコンをフリックする操作に基づいて、処理の対象となる画像データを、特定部８２が特定する。
【００６９】
図１０は、ネットワークインタフェース６７から画像データを電子メールで送信する処理の手順を説明するフローチャートである。先ず、受信制御部９２が、通信部６２を制御して、近接通信により、メモリデバイス４０から、画像データを受信する（ステップＳ３１）。通信制御部９７が、ネットワークインタフェース６７を制御して、画像データを電子メールに添付して送信する（ステップＳ３２）。
【００７０】
図１１は、複数のＭＦＰの間で、メモリデバイス４０を介して画像データの受け渡しを行う例を説明する図である。図１１のＭＦＰ１０１及びＭＦＰ１０２は、それぞれ、画像形成装置１と同一の機能及び構成を有する。図１１では、先ず、ＭＦＰ１０１に係る処理について説明する。操作者が、ＭＦＰ１０１が有する表示入力部１０に、図３の画面Ｐ２と同一の画面が表示されている。操作者が、画面Ｐ２のデータアイコン５にメモリデバイス４０をタッチさせる操作に基づいて、通信部６２が近接通信によりデータアイコン５に対応する画像データの識別情報をメモリデバイス４０に送信する。メモリデバイス４０は、通信部４２が識別情報を受信し、記憶部４６に格納する。なお、図中、識別情報は、ＩＤと表記し、データアイコン５に対応する画像データのＩＤは、１００である。
【００７１】
次に、ＭＦＰ１０２に係る処理について説明する。操作者が、メモリデバイス４０を、ＭＦＰ１０２が有する表示入力部１０にタッチさせる操作に基づいて、特定部８２がアイコンを特定し、指示生成部２１が処理を実行する指示を生成する。この指示に基づいて、ＭＦＰ１０２が有する受信制御部９２が、通信部６２を制御してメモリデバイス４０に格納されている情報を要求する。この要求に基づいて、メモリデバイス４０の通信部４２がＩＤを送信し、受信制御部９２が送信されたＩＤを受信する。
【００７２】
指示生成部２１は、さらに、受信したＩＤに基づいて、通信制御部９７がネットワークインタフェース６７を制御して、ＭＦＰ１０１から画像データを取得する。取得した画像データに対し、指示生成部２１が生成した指示に対応する処理を、制御部６０が制御することによりデバイス部６０が実行する。
【００７３】
図１２及び図１３は、図１１の例において、ＭＦＰ１０１及びＭＦＰ１０２が実行する処理の中で、画像データのＩＤに係る処理の手順を示すフローチャートである。図１２及び図１３の処理は、図７のステップＳ１０３において、実行される。
【００７４】
図１２は、ＭＦＰ１０１に係る処理の手順を示すフローチャートである。ＭＦＰ１０１が有する記憶制御部９６が、タッチされたアイコンに対応する画像データの識別情報を生成し、送信制御部９１が、通信部６２を制御して、近接通信により、生成した識別情報をメモリデバイス４０に送信する（ステップＳ４１）。
【００７５】
図１３は、ＭＦＰ１０２に係る処理の手順を示すフローチャートである。ＭＦＰ１０２が有する受信制御部９２が、近接通信により、メモリデバイス４０から、画像データの識別情報を受信する（ステップＳ５１）。次に、通信制御部９７が、ネットワークインタフェース６７を制御して、識別情報に対応する画像データを受信する（ステップＳ５２）。なお、ステップＳ１０２で生成された指示が、画像データを取得した後、印刷出力、又は、電子メール送信等の他の処理を実行することを含む場合には、それぞれ、印刷制御部９５、又は、通信制御部９７により、対応する処理を実行する。
【００７６】
なお、図１１から図１３では、ＭＦＰとメモリデバイスとの間で、画像データのＩＤを送受信する例について説明したが、画像データのＩＤに加えてＭＦＰのＩＤも送受信してもよい。より詳細には、図１１において、画像データのＩＤに加えてＭＦＰ１０１のＩＤも、ＭＦＰ１０１からメモリデバイス４０に送信する。ＭＦＰ１０２は、メモリデバイス４０から画像データのＩＤとＭＦＰ１０１のＩＤとを受信する。これにより、ＭＦＰ１０２が、画像データを保持するＭＦＰを特定することが容易になる。
【００７７】
図１４は、画像形成装置１に係るユースケースの例を示すフローチャートである。図１４の処理は、画像形成装置１により実行される。先ず、表示制御部８１が表示入力部１０を制御して、スキャナアイコン及び記憶アイコンを表示させる（ステップＳ２０１）。表示入力部１０には、例えば、図２の画面Ｐ１が表示される。
【００７８】
続いて、操作者が、メモリデバイス４０で、画面Ｐ１のスキャナアイコン１１１と記憶アイコン１２１をフリックする。この動作は、スキャナ部６３にセットされている原稿上の画像をスキャンして、画像データを生成し、生成した画像データを記憶部６６に格納する指示を入力するために行われる。
【００７９】
特定部８２が、フリックされたアイコンが、スキャナアイコン１１１と記憶アイコン１２１であることを特定する（ステップＳ２０２）。指示生成部２１が、スキャナ部６３にセットされている原稿上の画像をスキャンして、画像データを生成し、記憶部６６に格納する指示を生成する（ステップＳ２０３）。生成された指示に基づいて、読取制御部９３が、スキャナ部６３を制御して画像データを生成し、記憶制御部９６が、生成された画像データを記憶部６６に格納させる（ステップＳ２０４）。
【００８０】
表示制御部８１が、表示入力部１０が表示する画面に、記憶部６６に格納された画像データに対応するデータアイコンを表示する（ステップＳ２０５）。例えば、画面Ｐ１の記憶アイコン１２１に、データアイコン５を重ねて表示し、画面Ｐ２とする。
【００８１】
操作者が、メモリデバイス４０を用いて、表示入力部１０が表示する画面が有するデータアイコン５をフリックする。特定部８２が、フリックされたアイコンがデータアイコンがであることを特定する（ステップＳ２０６）。指示生成部２１が、データアイコン５に対応する画像データを、記憶部６６から読み出して、メモリデバイス４０に送信する指示を生成する（ステップＳ２０７）。
【００８２】
生成された指示に基づいて、記憶制御部９６が、記憶部６６に格納されている画像データを読み出し、送信制御部９１が、通信部６２を制御して、読み出された画像データをメモリデバイス４０に送信する（ステップＳ２０８）。
【００８３】
メモリデバイス４０は、通信部４２が画像データを受信し、記憶部４６が格納する（ステップＭ１１）。
【００８４】
操作者が、メモリデバイス４０を用いて、プリンタアイコン１３１をフリックする。ここでは、画面Ｐ２に表示されているプリンタアイコン１３１をフリックする。特定部８２が、フリックされたアイコンがプリンタアイコン１３１であることを特定する（ステップＳ２０９）。
【００８５】
指示生成部２１が、メモリデバイス４０に格納されている画像データを受信して、印刷する指示を生成する（ステップＳ２１０）。受信制御部９２が、メモリデバイス４０に対して画像データを要求し、メモリデバイス４０の通信部４２が、画像データを送信する（ステップＭ１２）。受信制御部９２が、通信部６２を制御して、メモリデバイス４０から画像データを受信する（ステップＳ２１１）。印刷制御部９５が、プリンタ部６５を制御して、受信した画像データを印刷出力する（ステップＳ２１２）。
【００８６】
図１５は、図１に機能構成を示した画像形成装置のハードウェア構成の例を説明する図である。図１５の画像形成装置９００は、制御部９１０、スキャナ９２０、ハードディスク装置（以下、「ＨＤＤ」という。）９３０、ドライブ装置９４０、表示装置９５０、入力装置９６０、無線装置９７０、及び、プリンタ９８０を有する。制御部９１０は、制御部９１０に接続される各部の制御、及び、画像形成装置９００が出力する画像データを処理する。なお、制御部９１０は、パーソナルコンピュータとして構成されてもよい。
【００８７】
制御部９１０は、ＣＰＵ９０１、ＲＯＭ９０２、ＲＡＭ９０３、スキャナインタフェース（以下、「スキャナＩ／Ｆ」という。）９１２、ＨＤＤインタフェース（以下、「ＨＤＤ  Ｉ／Ｆ」という。）９１３、ドライブインタフェース（以下、「ドライブＩ／Ｆ」という。）９１４、表示インタフェース（以下、「表示Ｉ／Ｆ」という。）９１５、入力インタフェース(以下、「入力Ｉ／Ｆ」という。)９１６、無線インタフェース(以下、「無線Ｉ／Ｆ」という。)９１７、プリンタインタフェース（以下、「プリンタＩ／Ｆ」という。）９１８、及び、通信インタフェース（以下、「通信Ｉ／Ｆ」）という。）９１９を有する。
【００８８】
ＣＰＵ９０１は、コンピュータプログラムを実行することにより、制御部９１０の各部、及び、制御部９１０に接続される各部の制御を行う。ＲＯＭ９０２は、例えば、ＣＰＵ９０１が実行するコンピュータプログラムを格納する。
【００８９】
ＲＡＭ９０３は、画像処理部９０４、及び、ＣＰＵ９０１がコンピュータプログラムを実行することにより実現される機能により処理される画像データを格納する。なお、この画像データは、ＲＯＭ９０２に格納されてもよい。
【００９０】
画像処理部９０４は、画像データに対する各種処理を行う。画像処理部９０４は、例えば、領域分離処理、下地除去処理、色補正処理、黒生成／下色除去処理、空間フィルタ処理、出力階調補正処理、及び、中間調生成処理の何れか一以上の処理を行う。なお、画像処理部９０４が実行する処理は、ＣＰＵ９０１がコンピュータプログラムを実行することにより、行われてもよい。これにより、制御部９１０には、画像処理部９０４が設けられなくてもよい。
【００９１】
スキャナＩ／Ｆ９１２は、スキャナ９２０から入力される画像データを受け取り、スキャナ９２０の特性に応じた画像処理を行う。ＨＤＤ  Ｉ／Ｆ９１３は、ＣＰＵ９０１の制御に基づいて、ＨＤＤ９３０に格納される画像データの入出力を行う。ドライブＩ／Ｆ９１４は、ドライブ装置９４０に挿入される可搬性記録媒体９４１に対するデータの入出力を行う。
【００９２】
表示Ｉ／Ｆ９１５は、表示装置９５０が表示する画像データを出力する。表示装置９５０が表示する画像データは、例えば、ＣＰＵ９０１がコンピュータプログラムを実行することにより、生成又は編集される。
【００９３】
入力Ｉ／Ｆ９１６は、入力装置９６０から入力される信号を受け付ける。入力Ｉ／Ｆ９１６から入力される信号は、ＣＰＵ９０１がコンピュータプログラムを実行する際に用いられる。
【００９４】
無線通信Ｉ／Ｆ９１７は、無線装置９７０を介して他の無線装置と画像データ又は制御信号を無線通信する際のインタフェースである。
【００９５】
プリンタＩ／Ｆ９１８は、制御部９１０が処理した画像データを、プリンタ９８０に出力する際のインタフェースである。通信Ｉ／Ｆ９１９は、制御部９１０からネットワーク９９０を介して他の装置と画像データ又は制御信号を通信する際のインタフェースである。
【００９６】
スキャナ９２０は、媒体上に画像が形成されている原稿を光学的に読み取って画像データを出力する。スキャナ９２０が出力する画像データは、アナログ信号でもよく、アナログ信号が変換されたデジタル信号でもよい。
【００９７】
ＨＤＤ９３０は、制御部９１０が処理する画像データを格納する。ＨＤＤ９３０は、例えば、スキャナ９２０から入力される画像データ、通信Ｉ／Ｆ９１９から入力される画像データ、並びに、ＣＰＵ９０１、及び、画像処理部９０４の処理により生成される中間画像データを格納する。ドライブ装置９４０は、可搬性記録媒体９４１が挿入されることにより、可搬性記録媒体９４１に対するデータの書き込み及び読み出しを行う。可搬性記録媒体９４１には、例えば、ＣＰＵ９０１が実行するコンピュータプログラムが格納される。
【００９８】
表示装置９５０は、画像形成装置９００が実行する処理に係る情報を表示する。より詳細には、画像形成装置９００が実行している処理の状態、及び、画像形成装置９００が実行する処理に対して設定されている情報を表示する。表示装置９５０は、例えば、液晶ディスプレイである。
【００９９】
入力装置９６０は、制御部９１０に対して、操作者が指示を入力する。入力装置９６０は、操作者が入力する指示を受け付け、指示に対応する信号を制御部９１０に与える。入力装置９６０は、例えば、タッチパネルである。なお、表示装置９５０と入力装置９６０とは、本実施の形態に係る表示受付部１０に対応する。
【０１００】
無線装置９７０は、無線通信により、他の無線装置との通信を行う。無線装置９７０が実行する無線通信は、例えば、近接通信である。
【０１０１】
プリンタ９８０は、制御部９１０により処理された画像データを、媒体上に形成して出力する。
【０１０２】
以上、発明を実施するための形態について説明を行ったが、本発明は、この発明を実施するための形態で述べた実施形態に限定されるものではない。本発明の主旨をそこなわない範囲で変更することが可能である。
【符号の説明】
【０１０３】
１      画像形成装置（画像処理装置）
１０    表示入力部（受付部）
２１    指示生成部
４０    メモリデバイス（記憶装置）
４２    通信部（記憶側送受信部）
４４    振動モータ
４５    給電部
４６    記憶部
５      データアイコン
５０    画像データ
６０    デバイス部（処理手段）
６２    通信部（処理側送受信部）
６３    スキャナ部
６５    プリンタ部
６６    記憶部
６７    ネットワークインタフェース
８０    表示入力制御部
８１    表示制御部
８２    特定部
９０    制御部
９１    送信制御部
９２    受信制御部
９３    読取制御部
９４    メモリ制御部
９５    印刷制御部
９６    記憶制御部
９７    通信制御部
１０１、１０２  ＭＦＰ
１３１  プリンタアイコン
１３２  メールアイコン
９００  画像形成装置
９０１  ＣＰＵ
９０２  ＲＯＭ
９０３  ＲＡＭ
９０４  画像処理部
９１０  制御部
９２０  スキャナ
９３０  ＨＤＤ
９４０  ドライブ装置
９４１  可搬性記録媒体
９８０  プリンタ
９９０  ネットワーク
【図１】
0005323126.tif 000002
【図２】
0005323126.tif 000003
【図３】
0005323126.tif 000004
【図４】
0005323126.tif 000005
【図５】
0005323126.tif 000006
【図６】
0005323126.tif 000007
【図７】
0005323126.tif 000008
【図８】
0005323126.tif 000009
【図９】
0005323126.tif 000010
【図１０】
0005323126.tif 000011
【図１１】
0005323126.tif 000012
【図１２】
0005323126.tif 000013
【図１３】
0005323126.tif 000014
【図１４】
0005323126.tif 000015
【図１５】
0005323126.tif 000016